(57)【要約】【課題】電子機器のタッチパネルモニタに表示された複数のアイコンを、視認性良く、ケース外部から選択的に操作することができる、タッチパネルモニタを有する電子機器用のケースを提供する。【解決手段】複数のアイコンをタッチ操作可能に表示するタッチパネルモニタを有する電子機器用のケースであって、タッチパネルモニタを操作する操作部材を備え、操作部材は、回動および押圧操作可能に配設された操作部と、操作部にスライド可能に保持されたアームと、アームの先部に設けられた接触部と、アームの長さをガイドするガイド部とを備えることを特徴とする。操作部材を回動操作することに伴って接触部がアイコンの一つの上に移動し、押圧操作することに伴って接触部がそのアイコンを接触することにより、簡単な構成で操作性が良く視認性が良好なものが得られる。【選択図】図４
2014123686.tif 000002
【特許請求の範囲】
【請求項１】
タッチパネルモニタを有する電子機器を密閉状態で収納する電子機器用ケースであって、
前記タッチパネルモニタを操作する操作部材を備え、
前記操作部材は、
前記電子機器用ケースを構成する壁部をその外面から内面に水密に貫通し前記壁部の外面から回動及び押圧操作可能に配設された操作部と、
前記壁部の内面側に位置する前記操作部の部分にスライド可能に保持され、前記操作部が押圧される方向と交差する方向に延在するアーム部と、
前記アーム部の先部に設けられ前記操作部の回動操作により前記タッチパネルモニタ上を移動し、押圧操作により前記タッチパネルモニタに接触する接触部と、
前記操作部の回動操作に関連して前記アーム部の前記操作部と前記接触部とを所定の間隔にガイドするアームガイド部と、を備える
ことを特徴とする電子機器用ケース。
【請求項２】
前記接触部は前記操作部の回動操作により前記タッチパネルモニタ上で略直線状の所定の軌跡を描くように移動する
ことを特徴とする請求項１記載の電子機器用ケース。
【請求項３】
前記操作部の回動操作により、前記接触部の少なくとも一部が前記タッチパネルモニタから外れた位置に移動する
ことを特徴とする請求項１記載の電子機器用ケース。
【請求項４】
前記アームガイド部は、前記電子機器用ケースの内面に設けられた案内部に前記アーム部の被案内部とが係合し、前記操作部の回動操作に伴い被案内部が案内部に沿って移動することにより、前記アーム部の前記操作部と前記接触部とを所定の間隔にガイドするように構成されている
ことを特徴とする請求項１乃至２記載の電子機器用ケース。
【請求項５】
前記タッチパネルモニタのタッチパネルは静電容量式であって、前記操作部と前記アーム部と前記接触部とは相互に電気的に導通している
ことを特徴とする請求項１乃至３記載の電子機器用ケース。
【請求項６】
前記タッチパネルモニタのタッチパネルは感圧式であって、前記接触部は前記タッチパネルモニタに対して先窄まりの形状であること
ことを特徴とする請求項１乃至３記載の電子機器用ケース。
【発明の詳細な説明】
【技術分野】
【０００１】
本発明は電子機器を密閉状態で内部に収納するケースに関し、より詳細にはタッチパネルモニタを有する電子機器用ケースに関する。
【背景技術】
【０００２】
従来より、撮影画像や情報を表示するモニタに各種操作を行うためのタッチパネルを配したタッチパネルモニタを備えたデジタルカメラやビデオカメラ等の撮像装置、携帯電話やＰＤＡ（Ｐｅｒｓｏｎａｌ  Ｄｉｇｉｔａｌ  Ａｓｓｉｓｔａｎｔ：携帯情報端末）、携帯用ゲーム機、携帯型音声再生機等の電子機器が提供されている。また近年、電子機器として、携帯電話にパソコンやＰＤＡ、デジタルカメラの機能が備わったスマートフォンと呼ばれる携帯端末や、画面を直接触って操作するタブレット端末と呼ばれる薄い板状のコンピュータ端末が急速に普及している。
【０００３】
これらの電子機器に使用されるタッチパネルには、感圧式のものと、静電容量式のもの等ある。従来は、安価な感圧式のものが主流であったが、現在では、デジタルカメラやスマートフォン等において、静電容量式のものが、数多く採用されるようになってきている。
また、これらの電子機器では、タッチパネルモニタの所定の位置に、複数のアイコンを表示して、このアイコンをタッチ操作できるようにして、電子機器の機能やモードの切換を行っている。
【０００４】
また、これらの電子機器では、簡易防水機能を有しているものも、多く提供されている。しかしながら、砂埃の多い運動場や競技場、砂浜等の使用では、細かな砂粒が擦れてタッチパネルのガラスや外筐に擦り傷を付けてしまうことがある。海岸や山の岩場では、電子機器を落としたり硬いものにぶつけたりして、衝撃等によりタッチパネルのガラスを割ったりすることがある。また、アウトドアや海辺での使用では、水没したり、水を被ったりすることがある。このようなことから電子機器をしっかりと保護し、タッチパネルに表示されたアイコンをケース外部から選択的に操作することができる、電子機器を密閉状態で内部に収納するケースが望まれてきている。
【０００５】
従来のこれらの電子機器用のケースとして、特許文献１にて開示されたものがある。このケースは、静電容量式タッチパネルを備える電子機器を密閉状態でケース内部に収納し、このタッチパネルに表示されたアイコンをケース外部から操作部により操作できるようにしたものである。この操作部は導電性の材料からできていて、外部から操作部を押下すると、操作部の端部がアイコンに接触するとともに電荷を放出する。このようにして、タッチパネルに表示されたアイコンを、ケース外部から確実に選択操作することができる。
【先行技術文献】
【特許文献】
【０００６】
【特許文献１】特開２０１１−１９９７８３号公報
【発明の概要】
【発明が解決しようとする課題】
【０００７】
しかしながら、特許文献１に記載の技術では、タッチパネルモニタ上に表示されたアイコンそれぞれに操作部を設ける必要があり、部品点数が多く複雑な構成となるという不都合があった。また、ケース内のタッチパネルモニタ上にそれぞれの操作部が常に配置されているため、タッチパネルモニタの視認性が悪くなるという不都合があった。
【０００８】
本発明の目的は、電子機器のタッチパネルモニタに表示された複数のアイコンを、視認性良く、ケース外部から選択して操作することが可能な、タッチパネルモニタを有する電子機器用のケースを提供することにある。
【課題を解決するための手段】
【０００９】
本発明は、上記の課題を解決するために、以下の構成を採用した。
【００１０】
本発明は、タッチパネルモニタを有する電子機器を密閉状態で収納する電子機器用ケースに関する。
そして、タッチパネルモニタを操作する操作部材を備え、操作部材は、電子機器用ケースを構成する壁部をその外面から内面に水密に貫通し壁部の外面から回動及び押圧操作可能に配設された操作部と、壁部の内面側に位置する操作部の部分にスライド可能に保持され、操作部が押圧される方向と交差する方向に延在するアーム部と、アーム部の先部に設けられ操作部の回動操作によりタッチパネルモニタ上を移動し、押圧操作によりタッチパネルモニタに接触する接触部と、操作部の回動操作に関連してアーム部の操作部と接触部とを所定の間隔にガイドするアームガイド部とを備えていることを特徴とする。
【００１１】
また、接触部は操作部の回動操作によりタッチパネルモニタ上で略直線状の所定の軌跡を描くように移動することを特徴とする。
【００１２】
また、操作部の回動操作により、接触部の少なくとも一部がタッチパネルモニタから外れた位置に移動することを特徴とする。
【００１３】
また、アームガイド部は、電子機器用ケースの内面に設けられた案内部にアーム部の被案内部とが係合し、操作部の回動操作に伴い被案内部が案内部に沿って移動することにより、アーム部の操作部と接触部とを所定の間隔にガイドするように構成されていることを特徴とする。
【００１４】
また、タッチパネルモニタのタッチパネルは静電容量式であって、操作部とアーム部と接触部とは相互に電気的に導通していることを特徴とする。
【００１５】
そして、タッチパネルモニタのタッチパネルは感圧式のであって、接触部はタッチパネルモニタに対して先窄まりの形状であることを特徴とする。
【発明の効果】
【００１６】
本発明によれば、上述の特徴を有することから、下記に示すことが可能となる。
【００１７】
タッチパネルモニタを有する電子機器を密閉状態で収納する電子機器用ケースであって、タッチパネルモニタを操作する操作部材を備え、操作部材は、電子機器用ケースを構成する壁部をその外面から内面に水密に貫通し壁部の外面から回動及び押圧操作可能に配設された操作部と、壁部の内面側に位置する操作部の部分にスライド可能に保持され、操作部が押圧される方向と交差する方向に延在するアーム部と、アーム部の先部に設けられ操作部の回動操作によりタッチパネルモニタ上を移動し、押圧操作によりタッチパネルモニタに接触する接触部と、操作部の回動操作に関連してアーム部の操作部と接触部とを所定の間隔にガイドするアームガイド部とを備えているので、タッチパネルモニタに表示された複数のアイコンに対して１つの操作部材により、視認性良く、ケース外部から選択的に操作することができる。
【００１８】
また、接触部は操作部の回動操作によりタッチパネルモニタ上で略直線状の所定の軌跡を描くように移動するので、直線状に並んで配置される複数のアイコンに対応が可能となる。
【００１９】
また、操作部の回動操作により、接触部の少なくとも一部がタッチパネルモニタから外れた位置に移動するので、アイコンを操作しないときには、タッチパネルモニタ上から見える範囲を少なくすることが可能となり、視認性を向上することができる。
【００２０】
また、アームガイド部は、電子機器用ケースの内面に設けられた案内部にアーム部の被案内部とが係合し、操作部の回動操作に伴い被案内部が案内部に沿って移動することにより、アーム部の操作部と接触部とを所定の間隔にガイドするように構成されているので、簡単な構成で、確実に接触部の位置をガイドすることができる。
【００２１】
また、タッチパネルモニタのタッチパネルは静電容量式であって、操作部とアーム部と接触部とは相互に電気的に導通しているので、ケースの外部から、内部の静電容量式タッチパネルモニタを確実に操作することができる。
【００２２】
そして、タッチパネルモニタのタッチパネルは感圧式であって、接触部はタッチパネルモニタに対して先窄まりの形状であるので、ケースの外部から、内部の感圧式タッチパネルモニタを確実に操作することができる。
【図面の簡単な説明】
【００２３】
【図１】本発明の一実施形態に係る電子機器用ケースに電子機器を装着する前の状態を示す斜視図である。
【図２】本発明の一実施形態に係る電子機器用ケースの内面側から見た要部を示す斜視図である。
【図３】本発明の一実施形態に係る電子機器用ケースに電子機器を装着した状態における要部を示す断面図である。
【図４】本発明の一実施形態に係る電子機器用ケースに電子機器を装着した状態における要部の動作説明図である。
【発明を実施するための形態】
【００２４】
以下、図面を参照して、本発明の実施形態について、詳細に説明する。
【００２５】
図１乃至図４を参照して、本発明の一実施形態について説明する。本実施形態では、電子機器用ケース１に収納すべき電子機器は撮像装置１００（デジタルカメラ）である。図１は、撮像装置１００を電子機器用ケース１に収納する前の状態における、後方から見た斜視図を示す。
なお、本明細書の実施形態の記載において、電子機器用ケース１に内蔵された撮像装置１００により撮影している映像をモニタ画面で横長にして見ている状態で、前後方向、上下方向、左右方向を示し、被写体側を前（フロント）方向、撮影者側であってモニタ画面のある面の方向を後（リア）方向と呼ぶことにする。
【００２６】
まず、この電子機器用ケース１に収納する撮像装置１００について説明する。
図１に示すように、本実施形態では、電子機器用ケース１に収納すべき撮像装置１００はデジタルカメラであり、六面体形状のカメラ本体１０１を備えている。カメラ本体１０１の前面には、ズーム機能を有する沈胴式の撮像レンズ鏡筒１０２と、閃光を発する図示されないフラッシュ装置とが設けられている。また、カメラ本体１０１の上面右側部寄りには、撮影を開始するためのレリーズボタン１０３が設けられている。
【００２７】
図１に示すように、カメラ本体１０１の背面の左側部寄りにタッチパネルモニタ１０４が設けられている。タッチパネルモニタ１０４は、従来公知のように、液晶ディスプレイや有機エレクトロルミネセンス（ＥＬ）ディスプレイ等の表示面に、透明なシート状の静電容量式のタッチパネルを張り合わせる等して構成され、撮影時には撮像画像が表示され再生時には再生画像が表示される。
【００２８】
図１に示すように、タッチパネルモニタ１０４上の右端部近傍には複数のアイコン１０５が表示され、このアイコン１０５をタッチ操作して、電子機器の機能やモードの動作や設定を行っている。タッチパネルモニタ１０４の右上部、右中部、右下部にそれぞれ、フラッシュ設定アイコン１０５ａ、マクロ設定アイコン１０５ｂ、タイマー設定アイコン１０５ｃが、タッチパネルモニタ１０４の右側の枠に平行に、一列に並んで表示される。
【００２９】
フラッシュ設定アイコン１０５ａの領域を指先でタッチ操作することにより、フラッシュ装置を自動発光、強制発光、または発光禁止させて撮影するかを順番に切り替えて設定することができる。同様に、マクロ設定アイコン１０５ｂではピント合わせを、自動にするか、または近接被写体優先にするかを、タイマー設定アイコン１０５ｃではセルフタイマーを使うか使わないかを、タッチ操作で交互に切り替えて設定することができる。
【００３０】
次に、電子機器用ケース１について説明する。図１に示すように、電子機器用ケース１は六面体形状のケース本体２を備え、ケース本体２は、互いに揺動可能に連結された前面ケース３と背面ケース４とから構成され、背面ケース４には前面ケース３と係脱可能に連結するバックル５が設けられている。
【００３１】
本実施形態では、前面ケース３の内部に撮像装置１００を装着し、背面ケース４と前面ケース３を合わせバックル５を係合し密閉状態にすることにより、撮像装置１００が所定位置に固定され、水密な密閉状態で収納されるよう構成されている。
【００３２】
図１に示すように、ケース本体２の上面にはレリーズボタン操作部６が、背面にはアイコン操作部（操作部）７がそれぞれの面に水密に設けられている。レリーズ操作部７を押圧操作することにより、撮像装置１００のレリーズボタン１０３が押圧され、撮影が開始される。アイコン操作部７を操作したときの動作等については、後述する。
【００３３】
前面ケース３の前面には、撮像レンズ鏡筒１０２とフラッシュ装置とに対応した位置に、それぞれレンズ収納筒部８と図示されないフラッシュ窓とが設けられている。レンズ収納筒部８の先端には図示されない光学ガラスが水密に固定される。
また、背面ケース４の背面のタッチパネルモニタ１０４に対向する位置に、タッチパネルモニタ１０４を外部から視認するための表示部窓９が設けられている。バックル５には、背面ケース４と前面ケース３との係合時のロックを解除するロック解除つまみ１０を備えている。
【００３４】
電子機器用ケース１のケース本体２は、ＡＢＳ（アクリロニトリルブタジエンスチレン）樹脂やポリカーボネート樹脂等のプラスチック樹脂で形成される。表示部窓９はアクリル樹脂（ポリメタクリル酸メチル樹脂）やポリカーボネート樹脂等の透明樹脂で形成される。
【００３５】
図２は、撮像装置１００を電子機器用ケース１に収納していない状態における、背面ケース４の内面を前方から見た斜視図を示す。図３は、撮像装置１００を電子機器用ケース１に収納した状態での図２におけるＡ−Ａ線矢視方向の断面図を示す。
図４は、操作部材の動作を示す模式図である。図４（Ａ）、図４（Ｂ）はタッチパネルモニタ１０４の所定の位置にあるアイコン１０５に対して動作させているときの状態を示し、図４（Ｃ）は待機しているときの状態を示す。
以下、図２〜図４をもちいて、本実施形態におけるアイコン操作構造（操作部材）について説明する。
【００３６】
図１乃至図４に示すように、アイコン操作部７は、表示部窓９の右辺の外側箇所であって、上下方向がマクロ設定アイコン１０５ｂと同じ高さの位置に設けられている。アイコン操作部７は、背面ケース４の背面壁４ａをその外面から内面に水密に貫通し、背面壁４ａの外面側から回動及び押圧操作可能に配設される。
【００３７】
図２、図３に示すように、アイコン操作部７は、回動及び押圧操作可能なダイアル７ａと、ダイアル７ａから突出して背面壁４ａを貫通する金属棒からなる軸７ｂと、スプリング７ｃと、軸７ｂの内面側の先端に固定されたアームホルダ７ｄとを有している。ダイアル７ａとアームホルダ７ｄは導電性のプラスチック、金属、または表面に金属めっき等、導電性の層を有するプラスチック等で形成される。軸７ｂとアームホルダ７ｄとは一体に形成してもよい。
【００３８】
図３に示すように、背面壁４ａの軸７ｂ周囲の外面側に外面突起４ｂ、内面側に内面突起４ｃが形成されている。外面突起４ｂは、略円筒状の突起で、内周部の凹部にＯリング１１が嵌めこまれて固定される。軸７ｂは、Ｏリング１１により背面壁４ａを水密に貫通する。図３に示すように、外面突起４ｂの外周部であって、ダイアル７ａと背面壁４ａ外面との間にはスプリング７ｃが配設され、ダイアル７ａを後方向に突出させるように付勢する。軸７ｂの内面側の先端に固定されたアームホルダ７ｄがスプリング７ｃの付勢力により内面突起４ｃに当接して、ダイアル７ａは外面突起４ｂとの第１の隙間Ｇ１を有した状態で保持される。
【００３９】
図２および図３に示すように、アームホルダ７ｄはアーム１２を長手方向にスライド可能に保持している。図２に示すように、アーム１２は所定幅を有する細長い板状の形状をなし、アイコン操作部７が押圧される方向と交差する方向に延在している。前述したように、アイコン操作部７は、表示部窓９の右辺の背面壁４ａに設けられており、アーム１２は電子機器用ケース１の内部で、表示部窓９の外側から内側にわたって延在している。アーム１２はアイコン操作部７が押圧される方向に弾性変形可能である。アーム１２は導電性のプラスチックや金属板等で形成される。
【００４０】
図２および図３に示すように、接触部１３は、アーム１２の先部に設けられ、アイコン操作部７の回動操作により移動し、押圧操作により撮像装置１００のタッチパネルモニタ１０４の所定箇所と接触する。図２に示すように、円板状の形状をしているので、タッチパネルモニタ１０４との接触時には、円形の部分全面が接触することになる。接触部１３は、導電性のゴムやエラストマ等の弾性体から形成され、アーム１２と電気的に接続される。なお、接触する円形の部分の径は、タッチパネルモニタ１０４を安定して操作させるため、直径５ｍｍ以上が好ましい。
【００４１】
図２乃至図４に示すように、アイコン操作部７と表示部窓９との間の背面壁４ａの内面にはガイド溝１４が形成され、アーム１３の後面に形成された円筒状の突起であるガイドピン１５がガイド溝１４の凹部によりガイドされる。アイコン操作部７の回動に伴ってガイドピン１５がガイド溝１４の中を移動すると、アーム１３の軸７ｂから接触部１３までの間隔が伸縮し、アーム１３の先端にある接触部１３が所定の軌跡を描く。すなわち、ガイド溝１４とガイドピン１５とは、機械要素のカム溝とカムフォロアとして働く。
【００４２】
図２および図４に示すように、ガイド溝１４は、軸７ｂに対して背を向けた形の上下に略対称の弓形の主ガイド溝部１４ａと、主ガイド溝部１４ａの下部に連続する副ガイド溝部１４ｂを有している。図４（Ａ）、図４（Ｂ）を用いて、主ガイド溝部１４ａの働きを説明する。主ガイド溝部１４ａは、接触部１３を複数のアイコン１０５の位置にガイドするためのものである。ガイド溝１４がなければ、接触部１３は、軸７ｂを中心として円弧状に移動する。しかし、アイコン１０５は上下方向に直線状に並んでいる。主ガイド溝部１４ａは軸７ｂに対して背を向けた弓形に形成されているので、接触部１３は複数のアイコン１０５の上を略直線状に移動するようにガイドされることになる。
【００４３】
次に、図２および図４（Ｃ）を用いて、副ガイド溝部１４ｂの働きを説明する。副ガイド溝部１４ｂは、主ガイド溝部１４ａの下部に連続し、溝の方向をＪの字状に軸７ｂ方向に曲げた形をしている。図４（Ｃ）に示すように、ガイドピン１５が副ガイド溝部１４ｂに移動すると、アーム１３の軸７ｂから接触部１３までの間隔を伸ばすことなく、接触部１３はタッチパネルモニタ１０４の外に移動していく。副ガイド溝部１４ｂは、接触部１３をタッチパネルモニタ１０４の外の待機位置に移動させることを可能とし、タッチパネルモニタ１０４の視認性を向上させる。
【００４４】
ここで、ダイアル７ａから接触部１３までの部材は、いずれも導電性があり、互いに導通しているので、ダイアル７ａを指先で摘んで触れることにより、接触部１３は指先Ｆを延長したと同じ作用効果を持つことになる。図４（Ａ）、図４（Ｂ）に示すように、ダイアル７ａを回動してアイコン１５上に接触部１３が位置するようにして、ダイアル７ａを押圧すれば、接触部１３がタッチパネルモニタ１０４の電荷の変化させる。すなわち、タッチパネルモニタ１０４のアイコン１５を指先で直接、タッチ操作すると同じ効果を得られる。
【００４５】
また、ガイド溝１４内に小さな凹凸等を設け、接触部１３がアイコン１５上や待機位置に来たときにクリックするようにしてもよい。ダイアル７ａを回動して、アイコン１５等に接触部１３を位置合わせをする操作が、より容易になる。また、ガイド溝１４のそれぞれの端部を塞いだり、狭めたりすれば、ガイドピン１５がガイド溝１４から脱落するのを防止することができる。
【００４６】
図３に示すように、接触部１３とタッチパネルモニタ１０４との第２の隙間Ｇ２は、ダイアル７ａと外面突起４ｂとの第１の隙間Ｇ１よりも、所定長さ短く形成されている。ここで、ダイアル７ａを押圧すると、第１の隙間Ｇ１分、アームホルダ７ｄが移動する。すると、接触部１３がタッチパネルモニタ１０４と接触するとともに、第１の隙間Ｇ１と第２の隙間Ｇ２との差分、アーム１３が撓むことになり、タッチパネルモニタ１０４は所定の適度な圧力により接触部１３に押圧される。
【００４７】
また、図３に示すように、ガイドピン１５はガイド溝１４の凹部に係合深さＧ３係合している。係合深さＧ３は第１の隙間Ｇ１よりも、所定長さ長く形成されている。撮像装置１００を電子機器用ケース１に収納していない状態で、ダイアル７ａを押圧したとき、ガイドピン１５は第１の隙間Ｇ１だけ移動する。ここで、ガイドピン１５はガイド溝１４の凹部に、係合深さＧ３と第１の隙間Ｇ１との差分、まだ係合しているので、ガイドピン１５はガイド溝１４から脱落することはない。
【００４８】
以上のように、ダイアル７ａの回動操作に連動して、接触部１３は略直線状の所定の軌跡を描くように移動する。そのため、タッチパネルモニタ１０４上に１列に直線的に並ぶアイコン１５に対して、１つのアイコン操作部７で対応が可能となる。これは、アイコン１５それぞれにアイコン操作部７を設けた場合より、視認性が良くなることになる。また、ダイアル７ａの更に回動操作することにより、接触部１３の少なくとも一部がタッチパネルモニタ１０４から外れた位置に移動するので、タッチパネルモニタ１０４の視認性が更に向上することになる。
【００４９】
また、複数のアイコン１５はタッチパネルモニタ１０４上に１列に直線的に並んでいるが、接触部１３は正確に直線的に軌跡を描いて移動する必要はない。接触部１３が接触したとき、複数のアイコン１５の領域をそれぞれ操作できる程度に、略直線的に、軌跡を描くようにすれば十分である。
【００５０】
また、操作部材のアイコン操作部７にダイアル７ａを用いたが、これに限定されるものではない。例えば、レバー状の形状とすれば、レバーの指し示す方向と接触部１３の位置の関連から、外部から接触部１３の位置が分かり、便利である。
【００５１】
また、アーム１２のガイドを行うのに、ガイド溝１４とガイドピン１５とを用いたが、これに限定されるものではない。例えば、ガイド溝１４は２条の平行で連続した突起部から構成されているが、この２条の連続突起部の替わりに、１条の連続突起部としてもよい。この場合、アーム１２には、１個のガイドピン１５の替わりに、長手方向に２個のガイドピン１５を所定間隔で並ぶように設ける。そして、２個のガイドピン１５の間の隙間にこの１条の連続突起部を配置すれば、本実施形態と同様に、アイコン操作部７の回動操作により、アーム１２に設けられた２個のガイドピン１５は、１条の連続突起部にガイドされることになる。
【００５２】
また、本実施形態では、タッチパネルモニタ１０４を操作する操作部材を用いて、複数のアイコン１０５の操作を行うようにしたが、アイコン１０５の操作だけに限定されるわけではない。
例えば、スマートフォン等の電子機器では、タッチパネルモニタ１０４の所定位置に指先を置き直線的に移動させることにより、待機状態を使用状態に表示や機能を切り替えたり、ズーム倍率を変えたり、ページ送りすることのできるものがある。このような電子機器に本発明を適用すれことができる。すなわち、接触部１３をタッチパネルモニタ１０４の所定位置にしてダイアル７ａを押圧させ、次に、ダイアル７ａを押圧したままで回動させる。このように、操作部材を押圧しながら回動させれば、接触部１３はタッチパネルモニタ１０４に接触したまま直線的に移動するので、指先をタッチパネルモニタ１０４の所定位置で直線的に移動させる操作をしたのと同じ効果を得られる。
【００５３】
また、本実施形態では、タッチパネルモニタ１０４に静電容量式のものを用いたが、これに限定されるわけではない。
例えば、タッチパネルモニタ１０４に感圧式のものを用いてもよい。この場合、接触部１３の形状を円筒状ではなくて、円錐型等の先窄まりの形状にすれば、確実にタッチパネルモニタ１０４の所定箇所をポイントで押圧し操作できる。このようにすれば、本実施形態と同様に、タッチパネルモニタ１０４上の複数の所定の場所にあるアイコン１５に対して、１つのアイコン操作部７の回動及び押圧操作での対応が可能となる。
【００５４】
なお、本発明の電子機器用ケースは、前述しかつ図面に示した実施の形態に限定されるものではなく、その要旨を逸脱しない範囲内で種々の変形実施が可能である。例えば、上述した実施の形態においては、電子機器として撮像装置１００（デジタルカメラ）に適用した例について説明しているが、これに限定されず、携帯電話、携帯情報端末、デジタルカメラ、携帯ゲーム機、携帯型音声再生機、スマートフォン、タブレット端末その他の電子機器に対応する電子機器用ケースに適用できるものである。
【符号の説明】
【００５５】
Ｇ１  第１の隙間
Ｇ２  第２の隙間
Ｇ３  係合深さ
１  電子機器用ケース
２  ケース本体
３  前面ケース３
４  背面ケース４
４ａ  背面壁
４ｂ  外面突起
４ｃ  内面突起
５  バックル
６  レリーズボタン操作部
７  アイコン操作部
７ａ  ダイアル
７ｂ  軸
７ｃ  スプリング
７ｄ  アームホルダ
８  レンズ収納筒部
９  表示部窓
１０  ロック解除つまみ
１１  Ｏリング
１２  アーム
１３  接触部
１４  ガイド溝
１４ａ  主ガイド溝部
１４ｂ  副ガイド溝部
１５  ガイドピン
１００  撮像装置
１０１  カメラ本体
１０２  撮像レンズ鏡筒
１０３  レリーズボタン
１０４  タッチパネルモニタ
１０５  アイコン
１０５ａ  フラッシュ設定アイコン
１０５ｂ  マクロ設定アイコン
１０５ｃ  タイマー設定アイコン
【図１】
2014123686.tif 000003
【図２】
2014123686.tif 000004
【図３】
2014123686.tif 000005
【図４】
2014123686.tif 000006